(57)【特許請求の範囲】
【請求項１】
携帯情報端末と、
施設内の所定のエリアに入退場するために通過する扉の施解錠を制御する扉施解錠制御装置と、
前記扉施解錠制御装置と接続された無線通信装置と、を含み、
前記携帯情報端末は、
識別情報を格納した記憶媒体から、当該記憶媒体に格納された識別情報を取得する識別情報取得手段と、
前記識別情報取得手段により取得した識別情報に関する前記施設内における１又は複数の扉ごとの通過許可情報を取得する取得手段と、
前記無線通信装置から受信したデータに基づいて、前記所定のエリアに入退場するための通過対象の扉を特定する特定手段と、
前記通過許可情報と、前記特定手段により特定した通過対象の扉とに基づいて、当該通過対象の扉の通過可否を判定する判定手段と、
前記判定手段による判定結果を、前記無線通信装置を介して前記扉施解錠制御装置に送信する送信手段と、を含み、
前記扉施解錠制御装置は、
前記送信手段により送信された判定結果に基づいて、前記通過対象の扉の施解錠を制御する制御手段を含み、
前記無線通信装置は、
前記施設内における１又は複数の扉のリストを送信する扉情報送信手段をさらに含み、
前記携帯情報端末は、
前記扉情報送信手段により送信されたリストを受信する受信手段と、
前記受信手段により受信したリストに複数の扉が含まれる場合に、当該複数の扉の中から通過対象の扉を選択するための選択画面を表示させる手段と、をさらに含み、
前記特定手段は、前記選択画面において選択された扉を前記通過対象の扉として特定する
ことを特徴とする扉施解錠制御システム。
【請求項２】
請求項１に記載の扉施解錠制御システムであって、
前記通過許可情報は、前記携帯情報端末に付与された識別情報にさらに関している
ことを特徴とする扉施解錠制御システム。
【請求項３】
携帯情報端末と、
施設内の所定のエリアに入退場するために通過する扉の施解錠を制御する扉施解錠制御装置と、
前記扉施解錠制御装置と接続された無線通信装置と、を含み、
前記扉施解錠制御装置は、
前記施設内における１又は複数の扉ごとの通過許可情報を取得する取得手段を含み、
前記携帯情報端末は、
識別情報を格納した記憶媒体から、当該記憶媒体に格納された識別情報を取得する識別情報取得手段と、
前記無線通信装置から受信したデータに基づいて、前記所定のエリアに入退場するための通過対象の扉を特定する特定手段と、
前記特定手段により特定された通過対象の扉の情報と前記識別情報取得手段により取得された識別情報とを、前記無線通信装置を介して前記扉施解錠制御装置に送信する送信手段と、を含み、
前記扉施解錠制御装置は、
前記通過許可情報と、前記送信手段により送信された識別情報と、前記送信手段により送信された通過対象の扉の情報とに基づいて、当該通過対象の扉の通過可否を判定する判定手段と、
前記判定手段による判定結果に基づいて、前記通過対象の扉の施解錠を制御する制御手段と、を含み、
前記無線通信装置は、
前記施設内における１又は複数の扉のリストを送信する扉情報送信手段をさらに含み、
前記携帯情報端末は、
前記扉情報送信手段により送信されたリストを受信する受信手段と、
前記受信手段により受信したリストに複数の扉が含まれる場合に、当該複数の扉の中から通過対象の扉を選択するための選択画面を表示させる手段と、をさらに含み、
前記特定手段は、前記選択画面において選択された扉を前記通過対象の扉として特定する
ことを特徴とする扉施解錠制御システム。
【請求項４】
請求項３に記載の扉施解錠制御システムであって、
前記送信手段は、前記携帯情報端末に付与された識別情報をさらに送信する
ことを特徴とする扉施解錠制御システム。
【請求項５】
前記特定手段は、前記受信手段により受信したリストに１つの扉のみが含まれる場合に、当該扉を前記通過対象の扉として特定する
ことを特徴とする請求項１乃至４のいずれかに記載の扉施解錠制御システム。
【請求項６】
前記携帯情報端末は、
前記施設内における１又は複数の扉ごとに定められたセキュリティレベルに応じて認証を要求する手段をさらに含み、
前記判定手段は、さらに、前記要求された認証の結果に基づいて、当該通過対象の扉の通過可否を判定する
ことを特徴とする請求項１乃至５のいずれかに記載の扉施解錠制御システム。
【請求項７】
前記扉施解錠制御システムは、複数の前記携帯情報端末を含み、
前記制御手段は、前記複数の前記携帯情報端末にそれぞれ含まれる前記判定手段による判定結果に基づいて、前記通過対象の扉の施解錠を制御する
ことを特徴とする請求項１乃至６のいずれかに記載の扉施解錠制御システム。
【請求項８】
施設内の所定のエリアに入室するための扉の施錠を制御する扉施解錠制御装置と接続された無線通信装置と通信する携帯情報端末であって、
識別情報を格納した記憶媒体から、当該記憶媒体に格納された識別情報を取得する識別情報取得手段と、
前記識別情報取得手段により取得した識別情報に関する前記施設内における１又は複数の扉ごとの通過許可情報を取得する取得手段と、
前記無線通信装置から受信したデータに基づいて、前記所定のエリアに入室するための通過対象の扉を特定する特定手段と、
前記通過許可情報と、前記特定手段により特定した通過対象の扉とに基づいて、当該通過対象の扉の通過可否を判定する判定手段と、
前記判定手段による判定結果を、前記無線通信装置を介して前記扉施解錠制御装置に送信する送信手段と、
前記施設内における１又は複数の扉のリストを受信する受信手段と、
前記受信手段により受信したリストに複数の扉が含まれる場合に、当該複数の扉の中から通過対象の扉を選択するための選択画面を表示させる手段と、を含み、
前記特定手段は、前記選択画面において選択された扉を前記通過対象の扉として特定する
ことを特徴とする携帯情報端末。
【請求項９】
施設内の所定のエリアに入室するための扉の施錠を制御する扉施解錠制御装置と接続された無線通信装置と通信する携帯情報端末であって、
識別情報を格納した記憶媒体から、当該記憶媒体に格納された識別情報を取得する識別情報取得手段と、
前記無線通信装置から受信したデータに基づいて、前記所定のエリアに入室するための通過対象の扉を特定する特定手段と、
前記特定手段により特定された通過対象の扉の情報と前記識別情報取得手段により取得された識別情報とを、前記無線通信装置を介して前記扉施解錠制御装置に送信する送信手段と、
前記施設内における１又は複数の扉のリストを受信する受信手段と、
前記受信手段により受信したリストに複数の扉が含まれる場合に、当該複数の扉の中から通過対象の扉を選択するための選択画面を表示させる手段と、を含み、
前記特定手段は、前記選択画面において選択された扉を前記通過対象の扉として特定する
ことを特徴とする携帯情報端末。
【請求項１０】
施設内の所定のエリアに入室するための扉の施錠を制御する扉施解錠制御装置と接続された無線通信装置と通信するコンピュータを、
識別情報を格納した記憶媒体から、当該記憶媒体に格納された識別情報を取得する識別情報取得手段と、
前記識別情報取得手段により取得した識別情報に関する前記施設内における１又は複数の扉ごとの通過許可情報を取得する取得手段と、
前記無線通信装置から受信したデータに基づいて、前記所定のエリアに入室するための通過対象の扉を特定する特定手段と、
前記通過許可情報と、前記特定手段により特定した通過対象の扉とに基づいて、当該通過対象の扉の通過可否を判定する判定手段と、
前記判定手段による判定結果を、前記無線通信装置を介して前記扉施解錠制御装置に送信する送信手段と、
前記施設内における１又は複数の扉のリストを受信する受信手段と、
前記受信手段により受信したリストに複数の扉が含まれる場合に、当該複数の扉の中から通過対象の扉を選択するための選択画面を表示させる手段
として機能させるためのプログラムであって、
前記特定手段は、前記選択画面において選択された扉を前記通過対象の扉として特定する
ことを特徴とするプログラム。
【請求項１１】
施設内の所定のエリアに入室するための扉の施錠を制御する扉施解錠制御装置と接続された無線通信装置と通信するコンピュータを、
識別情報を格納した記憶媒体から、当該記憶媒体に格納された識別情報を取得する識別情報取得手段と、
前記無線通信装置から受信したデータに基づいて、前記所定のエリアに入室するための通過対象の扉を特定する特定手段と、
前記特定手段により特定された通過対象の扉の情報と前記識別情報取得手段により取得された識別情報とを、前記無線通信装置を介して前記扉施解錠制御装置に送信する送信手段と、
前記施設内における１又は複数の扉のリストを受信する受信手段と、
前記受信手段により受信したリストに複数の扉が含まれる場合に、当該複数の扉の中から通過対象の扉を選択するための選択画面を表示させる手段
として機能させるためのプログラムであって、
前記特定手段は、前記選択画面において選択された扉を前記通過対象の扉として特定する
ことを特徴とするプログラム。
【発明の詳細な説明】
【技術分野】
【０００１】
本発明は、扉施解錠制御システム、携帯情報端末及びプログラムに関する。
【背景技術】
【０００２】
セキュリティを確保するために施設内の部屋の扉に電気錠を設け、認証された者のみを通すように電気錠を制御することがある。例えば、下記の特許文献１には、扉にカードリーダを設置し、カードリーダで読み取ったＩＣカードのデータを利用した認証結果に基づいて電気錠を解錠することが開示されている。
【先行技術文献】
【特許文献】
【０００３】
【特許文献１】特開２０１１−２２１９０７号公報
【発明の概要】
【発明が解決しようとする課題】
【０００４】
しかしながら、従来の技術では扉ごとにカードリーダを設置する必要があるため、必要なカードリーダの数が多いと設備費用がかかる上に管理負担が大きかった。
【０００５】
本発明の目的は、扉ごとのカードリーダの設置を不要することができる扉施解錠制御システム、携帯情報端末及びプログラムを提供することにある。
【課題を解決するための手段】
【０００６】
上記目的を達成するために、本発明に係る扉施解錠制御システムは、携帯情報端末と、施設内の所定のエリアに入退場するために通過する扉の施解錠を制御する扉施解錠制御装置と、前記扉施解錠制御装置と接続された無線通信装置と、を含み、前記携帯情報端末は、識別情報を格納した記憶媒体から、当該記憶媒体に格納された識別情報を取得する識別情報取得手段と、前記識別情報取得手段により取得した識別情報に関する前記施設内における１又は複数の扉ごとの通過許可情報を取得する取得手段と、前記無線通信装置から受信したデータに基づいて、前記所定の施設内における通過対象の扉を特定する特定手段と、前記通過許可情報と、前記識別情報取得手段により取得された識別情報と、前記特定手段により特定した通過対象の扉とに基づいて、当該通過対象の扉の通過可否を判定する判定手段と、前記判定手段による判定結果を、前記無線通信装置を介して前記扉施解錠制御装置に送信する送信手段と、を含み、前記扉施解錠制御装置は、前記送信手段により送信された判定結果に基づいて、前記通過対象の扉の施解錠を制御する制御手段を含むことを特徴とする。
【０００７】
本発明に係る扉施解錠制御システムは、携帯情報端末と、施設内の所定のエリアに入退場するために通過する扉の施解錠を制御する扉施解錠制御装置と、前記扉施解錠制御装置と接続された無線通信装置と、を含み、前記扉施解錠制御装置は、前記携帯情報端末に付与された識別情報と、当該識別情報に関する前記施設内における１又は複数の扉ごとの通過許可情報を取得する取得手段を含み、前記携帯情報端末は、識別情報を格納した記憶媒体から、当該記憶媒体に格納された識別情報を取得する識別情報取得手段と、前記無線通信装置から受信したデータに基づいて、前記所定の施設内における通過対象の扉を特定する特定手段と、前記特定手段により特定された通過対象の扉の情報と前記識別情報取得手段により取得された識別情報とを、前記無線通信装置を介して前記扉施解錠制御装置に送信する送信手段と、を含み、前記扉施解錠制御装置は、前記通過許可情報と、前記送信手段により送信された識別情報と、前記送信手段により送信された通過対象の扉の情報とに基づいて、当該通過対象の扉の通過可否を判定する判定手段と、前記判定手段による判定結果に基づいて、前記通過対象の扉の施解錠を制御する制御手段と、を含むことを特徴とする。
【０００８】
また、本発明の一態様では、前記無線通信装置は、前記施設内における１又は複数の扉のリストを送信する扉情報送信手段をさらに含み、前記携帯情報端末は、前記扉情報送信手段により送信されたリストを受信する受信手段と、前記受信手段により受信したリストに複数の扉が含まれる場合に、当該複数の扉の中から通過対象の扉を選択するための選択画面を表示させる手段と、をさらに含み、前記特定手段は、前記選択画面において選択された扉を前記通過対象の扉として特定することを特徴とする。
【０００９】
また、本発明の一態様では、前記特定手段は、前記受信手段により受信したリストに１つの扉のみが含まれる場合に、当該扉を前記通過対象の扉として特定することを特徴とする。
【００１０】
また、本発明の一態様では、前記携帯情報端末は、前記施設内における１又は複数の扉ごとに定められたセキュリティレベルに応じて認証を要求する手段をさらに含み、前記判定手段は、前記要求された認証の結果と、前記通過許可情報と、前記携帯情報端末に付与された識別情報と、前記通過対象の扉とに基づいて、当該通過対象の扉の通過可否を判定することを特徴とする。
【００１１】
また、本発明の一態様では、前記扉施解錠制御システムは、複数の前記携帯情報端末を含み、前記制御手段は、前記複数の前記携帯情報端末にそれぞれ含まれる前記判定手段による判定結果に基づいて、前記通過対象の扉の施解錠を制御することを特徴とする。
【００１２】
また、本発明に係る携帯情報端末は、施設内の所定のエリアに入室するための扉の施錠を制御する扉施解錠制御装置と接続された無線通信装置と通信する携帯情報端末であって、識別情報を格納した記憶媒体から、当該記憶媒体に格納された識別情報を取得する識別情報取得手段と、前記識別情報取得手段により取得した識別情報に関する前記施設内における１又は複数の扉ごとの通過許可情報を取得する取得手段と、前記無線通信装置から受信したデータに基づいて、前記所定の施設内における通過対象の扉を特定する特定手段と、前記通過許可情報と、前記識別情報取得手段により取得された識別情報と、前記特定手段により特定した通過対象の扉とに基づいて、当該通過対象の扉の通過可否を判定する判定手段と、前記判定手段による判定結果を、前記無線通信装置を介して前記扉施解錠制御装置に送信する送信手段と、を含むことを特徴とする。
【００１３】
また、本発明に係る携帯情報端末は、施設内の所定のエリアに入室するための扉の施錠を制御する扉施解錠制御装置と接続された無線通信装置と通信する携帯情報端末であって、識別情報を格納した記憶媒体から、当該記憶媒体に格納された識別情報を取得する識別情報取得手段と、前記無線通信装置から受信したデータに基づいて、前記所定の施設内における通過対象の扉を特定する特定手段と、前記特定手段により特定された通過対象の扉の情報と前記識別情報取得手段により取得された識別情報とを、前記無線通信装置を介して前記扉施解錠制御装置に送信する送信手段と、を含むことを特徴とする。
【００１４】
また、本発明に係るプログラムは、施設内の所定のエリアに入室するための扉の施錠を制御する扉施解錠制御装置と接続された無線通信装置と通信するコンピュータを、識別情報を格納した記憶媒体から、当該記憶媒体に格納された識別情報を取得する識別情報取得手段と、前記識別情報取得手段により取得した識別情報に関する前記施設内における１又は複数の扉ごとの通過許可情報を取得する取得手段と、前記無線通信装置から受信したデータに基づいて、前記所定の施設内における通過対象の扉を特定する特定手段と、前記通過許可情報と、前記識別情報取得手段により取得された識別情報と、前記特定手段により特定した通過対象の扉とに基づいて、当該通過対象の扉の通過可否を判定する判定手段と、前記判定手段による判定結果を、前記無線通信装置を介して前記扉施解錠制御装置に送信する送信手段として機能させるためのプログラムである。
【００１５】
また、本発明に係るプログラムは、施設内の所定のエリアに入室するための扉の施錠を制御する扉施解錠制御装置と接続された無線通信装置と通信するコンピュータを、識別情報を格納した記憶媒体から、当該記憶媒体に格納された識別情報を取得する識別情報取得手段と、前記無線通信装置から受信したデータに基づいて、前記所定の施設内における通過対象の扉を特定する特定手段と、前記特定手段により特定された通過対象の扉の情報と前記識別情報取得手段により取得された識別情報とを、前記無線通信装置を介して前記扉施解錠制御装置に送信する送信手段として機能させるためのプログラムである。
【発明の効果】
【００１６】
本発明の一態様によれば、利用者の携帯情報端末が通過対象の扉の施解錠を制御する扉施解錠制御装置と無線通信装置を介して通信するようにしたことで、扉ごとのカードリーダの設置を不要とすることができる。
【図面の簡単な説明】
【００１７】
【図１】本実施形態に係る入退室管理システムのシステム構成図である。
【図２】管理サーバのハードウェアの構成例を示す図である。
【図３】管理サーバに記憶される入室許可情報の一例を示す図である。
【図４】携帯情報端末のハードウェアの構成例を示す図である。
【図５】ＩＣチップとＩＣカードのハードウェア構成例を示す図である。
【図６】無線通信装置及び電気錠制御装置のハードウェアの構成例を示す図である。
【図７】第１の実施例における事前登録処理のシーケンス図である。
【図８】携帯情報端末が受信した入室許可情報の一例を示す図である。
【図９】第１の実施例における解錠処理のシーケンス図である。
【図１０】扉の選択画面の一例を示す図である。
【図１１】第２の実施例における事前登録処理のシーケンス図である。
【図１２】電気錠制御装置が受信した入室許可情報の一例を示す図である。
【図１３】第２の実施例における解錠処理のシーケンス図である。
【図１４】入退室管理システムにおいて電気錠を一度解錠した後の処理のシーケンス図である。
【発明を実施するための形態】
【００１８】
以下、本発明を実施するための好適な実施の形態（以下、実施形態という）を、図面に従って説明する。
【００１９】
［１．入退室管理システム］
図１には、本実施形態に係る入退室管理システム１のシステム構成図を示した。図１に示されるように、入退室管理システム１は、管理サーバ１０、携帯情報端末２０、電気錠システム３０、ＩＣカード７０を含む。なお、電気錠システム３０は、施設３内の部屋への出入り口の扉４ごとに設けられた電気錠４０、電気錠４０の解錠と施錠を制御する電気錠制御装置５０、電気錠制御装置５０とデータ通信可能に接続され携帯情報端末２０等のデバイスと無線通信を行う無線通信装置６０を含む。なお、電気錠制御装置５０は１つの電気錠４０のみを制御する装置であってもよいし、複数の電気錠４０を制御する装置であってもよい。また、無線通信装置６０も、１つの電気錠制御装置５０のみとデータ通信可能に接続されていてもよいし、複数の電気錠制御装置５０とデータ通信可能に接続されていてもよい。以下、各デバイスの詳細について説明する。
【００２０】
［１−１．管理サーバ１０］
管理サーバ１０は、携帯情報端末２０や電気錠制御装置５０等のデバイスとネットワーク２を介して通信し、電気錠システム３０と通信し電気錠４０を解錠するための端末用アプリケーションを携帯情報端末２０に提供するとともに、ユーザごとの入室許可情報を管理する装置である。端末用アプリケーション及び入室許可情報の詳細については後述する。
【００２１】
図２には、管理サーバ１０のハードウェアの構成例を示した。図２に示されるように、管理サーバ１０は、制御部１００、記憶部１０２、通信部１０４を備える。
【００２２】
制御部１００は、ＣＰＵ（Central Processing Unit）を含み、記憶部１０２に記憶されたプログラムに基づいて、各種の演算処理を実行するとともに管理サーバ１０の各部を制御する。
【００２３】
記憶部１０２は、管理サーバ１０のオペレーティングシステムやプログラムやデータを記憶するほか、制御部１００のワークメモリとしても用いられる。本実施形態においては、記憶部１０２には、端末用アプリケーションのプログラムが記憶され、管理サーバ１０は、携帯情報端末２０からの要求に応じて端末用アプリケーションを提供することとしてよい。また、記憶部１０２には、ユーザごとに入室が許可された施設内の部屋情報等を格納した入室許可情報が記憶される。
【００２４】
図３には、管理サーバ１０に記憶される入室許可情報の一例を示した。図３に示されるように、入室許可情報には、ユーザの識別情報（ＵＩＤ）、施設の識別情報（施設ＩＤ）、施設内の部屋の識別情報（部屋ＩＤ）、部屋の扉の識別情報（扉ＩＤ）、入室許可条件が関連付けられて格納されている。ここで、入室許可条件には、例えば日時、部屋に設定されたセキュリティレベル等の情報を含むこととしてよい。
【００２５】
通信部１０４は、ネットワークインターフェイスカード等により構成され、ネットワークインターフェイスカードにより接続したネットワーク２を介して携帯情報端末２０等のデバイスとデータ通信する。
【００２６】
［１−２．携帯情報端末２０］
携帯情報端末２０は、無線通信機能、情報処理機能、ＩＣカードとの通信機能を有する携帯型のコンピュータであり、例えば携帯電話機としてよい。
【００２７】
図４には、携帯情報端末２０のハードウェアの構成例を示した。図４に示されるように、携帯情報端末２０は、制御部２００、記憶部２０２、携帯回線通信部２０４、無線通信部２０６、表示部２０８、入力部２１０、及びＩＣチップ２１２を備える。
【００２８】
制御部２００は、ＣＰＵを含み、記憶部２０２に記憶されたプログラムに基づいて、各種の演算処理を実行するとともに携帯情報端末２０の各部を制御する。
【００２９】
記憶部２０２は、携帯情報端末２０のオペレーティングシステムやプログラムやデータを記憶するほか、制御部２００のワークメモリとしても用いられる。
【００３０】
携帯回線通信部２０４は、基地局装置２１と無線で通信し、基地局装置２１を介して管理サーバ１０とデータ通信する。
【００３１】
無線通信部２０６は、施設内に設けられた無線通信装置６０と通信する。無線通信方式は、無線ＬＡＮやＢｌｕｅｔｏｏｔｈ（登録商標）等の通信範囲が数メートル〜数十メートルの通信方式を用いることとしてよい。
【００３２】
表示部２０８は、例えば液晶ディスプレイ等の表示装置により構成され、制御部２００の処理により生成されたグラフィックデータに基づいて各種の画面を表示する。
【００３３】
入力部２１０は、例えばキーボードやタッチパネル等により構成され、ユーザによる操作の入力を受け付ける。
【００３４】
ＩＣチップ２１２は、端末用アプリケーションを実行し、ＩＣカード７０と通信してＩＣカード７０に格納されたデータ（例えば、ユーザの識別情報等）を取得する。以下、図５を参照しながら、ＩＣチップ２１２及びＩＣカード７０のハードウェア構成例について説明する。
【００３５】
［１−２−１．ＩＣチップ２１２］
図５には、ＩＣチップ２１２のハードウェア構成の一例を示した。図５に示されるように、ＩＣチップ２１２は、無線通信回路２５０、ＣＰＵ２５２、ＲＯＭ２５４、ＲＡＭ２５６、及びＥＥＰＲＯＭ２５８を備える。
【００３６】
無線通信回路２５０は、例えばアンテナや高周波回路を含み、ＩＣカード７０と近距離（例えば数十センチメートル以内）の無線通信を行う。
【００３７】
ＣＰＵ２５２は、ＲＯＭ２５４に記憶される制御プログラム、ＥＥＰＲＯＭ２５８に記憶される端末用アプリケーション等に基づいて、演算処理を実行するとともにＩＣチップ２１２の各部を制御する中央処理装置である。
【００３８】
ＲＯＭ２５４は、データの読み出しのみが可能なメモリであり、ＲＯＭ２５４には例えばＩＣチップ２１２の制御プログラム、制御データが記憶される。
【００３９】
ＲＡＭ２５６は、データの書込及び読み出しが可能なメモリであり、ＲＡＭ２５６はＣＰＵ２５２による処理のワーキングメモリや、一時的なデータ記憶領域として用いられる。
【００４０】
ＥＥＰＲＯＭ２５８は、データの書込及び読み出しが可能な不揮発性メモリである。ＥＥＰＲＯＭ２５８には例えば、管理サーバ１０からダウンロードした端末用アプリケーション等が記憶される。
【００４１】
［１−３．ＩＣカード７０］
次に、ＩＣカード７０のハードウェア構成例について説明する。図５に示されるように、ＩＣカード７０は、無線通信回路７２、ＣＰＵ７４、ＲＯＭ７６、ＲＡＭ７８、及びＥＥＰＲＯＭ８０を備える。
【００４２】
無線通信回路７２は、例えばアンテナや高周波回路を含み、ＩＣチップ２１２と近距離（例えば数十センチメートル以内）の無線通信を行う。
【００４３】
ＣＰＵ７４は、ＲＯＭ７６に記憶される制御プログラム、ＥＥＰＲＯＭ８０に記憶されるアプリケーション等に基づいて、演算処理を実行するとともにＩＣカード７０の各部を制御する中央処理装置である。
【００４４】
ＲＯＭ７６は、データの読み出しのみが可能なメモリであり、ＲＯＭ７６には例えばＩＣカード７０の制御プログラム、制御データが記憶される。
【００４５】
ＲＡＭ７８は、データの書込及び読み出しが可能なメモリであり、ＲＡＭ７８はＣＰＵ７４による処理のワーキングメモリや、一時的なデータ記憶領域として用いられる。
【００４６】
ＥＥＰＲＯＭ８０は、データの書込及び読み出しが可能な不揮発性メモリである。ＥＥＰＲＯＭ８０には例えば、ＩＣカード７０を保有するユーザの識別情報（ＵＩＤ）等が記憶される。
【００４７】
［１−４．電気錠システム３０］
電気錠システム３０は、無線通信装置６０、無線通信装置６０と接続された電気錠制御装置５０、電気錠制御装置５０と接続された電気錠４０を含む。図６には、無線通信装置６０及び電気錠制御装置５０のハードウェアの構成例を示した。なお、電気錠４０には公知のデバイスを用いることができるため、電気錠４０のハードウェアについての説明は省略する。
【００４８】
［１−４−１．無線通信装置６０］
図６に示されるように、無線通信装置６０は、制御部６００、記憶部６０２、無線通信部６０４、通信部６０６を備える。
【００４９】
制御部６００は、ＣＰＵを含み、記憶部６０２に記憶されたプログラムに基づいて、各種の演算処理を実行するとともに無線通信装置６０の各部を制御する。
【００５０】
記憶部６０２は、無線通信装置６０の制御プログラムやデータを記憶するほか、制御部２００のワークメモリとしても用いられる。記憶部６０２には、無線通信装置６０と接続される電気錠制御装置５０により管理される各電気錠４０が設けられた扉の情報を記憶しておき、無線通信装置６０が、記憶部６０２に記憶された扉の情報を携帯情報端末２０に提供することとしてもよい。
【００５１】
無線通信部６０４は、携帯情報端末２０と無線通信する。無線通信方式は、無線ＬＡＮやＢｌｕｅｔｏｏｔｈ（登録商標）等の通信範囲が数メートル〜数十メートルの通信方式を用いることとしてよい。
【００５２】
通信部６０６は、ＬＡＮケーブルやシリアルケーブル等の通信ケーブルを介して接続された電気錠制御装置５０とデータ通信する。
【００５３】
［１−４−２．電気錠制御装置５０］
また、図６に示されるように、電気錠制御装置５０は、制御部５００、記憶部５０２、無線通信装置用通信部５０４、電気錠用通信部５０６、ネットワーク通信部５０８を備える。
【００５４】
制御部５００は、ＣＰＵを含み、記憶部５０２に記憶されたプログラムに基づいて、各種の演算処理を実行するとともに電気錠制御装置５０の各部を制御する。
【００５５】
記憶部５０２は、電気錠制御装置５０の制御プログラムやデータを記憶するほか、制御部５００のワークメモリとしても用いられる。
【００５６】
無線通信装置用通信部５０４は、ＬＡＮケーブルやシリアルケーブル等の通信ケーブルを介して接続された無線通信装置６０とデータ通信する。
【００５７】
電気錠用通信部５０６は、ＬＡＮケーブルやシリアルケーブル等の通信ケーブルを介して接続された電気錠４０とデータ通信する。
【００５８】
ネットワーク通信部５０８は、ネットワークインターフェイスカード等により構成され、ネットワークインターフェイスカードにより接続したネットワーク２を介して、管理サーバ１０等のデバイスとデータ通信する。
【００５９】
［２．第１の実施例］
次に、本実施形態に係る入退室管理システム１において行われる、第１の実施例に係る処理について説明する。
【００６０】
［２―１．事前登録処理］
図７には、第１の実施例における事前登録処理のシーケンス図を示した。図７に示されるように、管理サーバ１０は、端末用アプリケーションと、ユーザごとの入室許可情報を保持しておく（Ｓ１１０１）。入室許可情報は、管理サーバ１０が管理者の入力に基づいて生成してもよいし、他の装置において生成された後に、管理サーバ１０にコピーすることとしてもよい。
【００６１】
携帯情報端末２０は、初回アクセス時には、管理サーバ１０にアクセスして携帯情報端末２０の情報を登録する（Ｓ１１０２）。なお、管理サーバ１０に登録される携帯情報端末２０の情報には、例えばユーザの識別情報（ＵＩＤ）や認証パスワード等を含むこととしてよい。管理サーバ１０は携帯情報端末２０の識別情報（ＤＩＤ）を発行し、ＤＩＤと登録された情報を関連付けて記憶する（Ｓ１１０３）。
【００６２】
携帯情報端末２０は、管理サーバ１０にアクセスして認証後（Ｓ１１０４）、管理サーバ１０が保持する端末用アプリケーションをダウンロードする（Ｓ１１０５）。
【００６３】
携帯情報端末２０は、管理サーバ１０に対して入室許可情報の取得クエリを送信すると（Ｓ１１０６）、管理サーバ１０は、送信された取得クエリに基づいて対応する入室許可情報を検索し（Ｓ１１０７）、検索された入室許可情報を携帯情報端末２０に送信する（Ｓ１１０８）。なお、携帯情報端末２０から管理サーバ１０に対して送信される取得クエリには、ユーザの識別情報（ＵＩＤ）又は携帯情報端末２０の識別情報（ＤＩＤ）、指定した日時や施設等の情報が含まれることとしてよい。
【００６４】
図８には、携帯情報端末２０が受信した入室許可情報の一例を示した。図８に示されるように、入室許可情報には、ユーザの識別情報（ＵＩＤ）、施設の識別情報（施設ＩＤ）、施設内の部屋の識別情報（部屋ＩＤ）、部屋の扉の識別情報（扉ＩＤ）、入室許可条件が関連付けて記憶される。なお、図８はＵＩＤ＝Ｕ０００１のユーザが利用する携帯情報端末２０が取得する入室許可情報の例を示している。
【００６５】
携帯情報端末２０は、管理サーバ１０から受信した入室許可情報を記憶して（Ｓ１１０９）、事前処理を終了する。
【００６６】
［２−２．解錠処理］
次に、ユーザが携帯情報端末２０を用いて施設内において電気錠４０の解錠を行う際の処理の一例について、図９に示されたシーケンス図を参照しながら説明する。
【００６７】
図９に示されるように、携帯情報端末２０は、端末用アプリケーションを起動する（Ｓ１２０１）。なお、携帯情報端末２０は、ユーザからの操作を受け付けて端末用アプリケーションを起動することとしてもよいし、無線通信装置６０から所定の無線信号を受信した場合に端末用アプリケーションを起動することとしてもよい。
【００６８】
無線通信装置６０は、管理している扉の情報を格納した扉リスト情報を無線により報知する（Ｓ１２０２）。扉リスト情報には、扉の識別情報（扉ＩＤ）、部屋の識別情報（部屋ＩＤ等）、扉や部屋の説明等の情報が含まれることとしてよい。
【００６９】
携帯情報端末２０は、無線通信装置６０から報知された扉リスト情報を受信し、受信した扉リスト情報に複数の扉が含まれている場合には（Ｓ１２０３）、扉（又は部屋）の選択画面を表示する（Ｓ１２０４）。
【００７０】
図１０には、扉の選択画面の一例を示した。図１０に示されるように、扉の選択画面には、部屋番号、部屋情報のリストが含まれ、リストの中から入室しようとする対象の部屋（扉）を選択することができる。部屋の選択は、例えばタッチパネル上に表示された所望の部屋情報をタッチすることにより行うこととしてよい。
【００７１】
携帯情報端末２０は、Ｓ１２０４の後には、選択画面に対するユーザの入力に基づいて入室対象の扉を特定し（Ｓ１２０５）、Ｓ１２０３で扉リスト情報に１つの扉のみが含まれている場合には（Ｓ１２０３：Ｎ）、当該１つの扉を入室対象の扉として特定する（Ｓ１２０５）。
【００７２】
携帯情報端末２０は、非接触通信によりＩＣカード７０にアクセスして、ＩＣカード７０に格納された識別情報（ＵＩＤ）の取得を要求し（Ｓ１２０６）、ＩＣカード７０からＵＩＤを取得する（Ｓ１２０７）。なお、携帯情報端末２０は、Ｓ１２０６において、「ＩＣカードを携帯電話機にかざして下さい。」とのメッセージを表示部２０８に表示するようにしてもよい。
【００７３】
携帯情報端末２０は、Ｓ１２０５で特定した入室対象の扉と、Ｓ１２０７で取得した識別情報（ＵＩＤ）と、携帯情報端末２０に記憶される入室許可情報とに基づいて、入室の可否を判定する（Ｓ１２０８）。例えば、入室許可情報に入室許可条件が含まれない場合には、入室可の判定は、ＩＣカード７０から取得した識別情報（ＵＩＤ）、入室対象の扉の識別情報（扉ＩＤ）の組が入室許可情報に存在することとしてよく、入室許可情報に入室許可条件（例えば指定日時）が含まれる場合には、入室可の判定は、ＩＣカード７０から取得した識別情報（ＵＩＤ）、入室対象の扉の識別情報（扉ＩＤ）の組が入室許可情報に存在し、かつ判定時刻が指定日時を満たすこととしてよい。
【００７４】
次に、携帯情報端末２０は、Ｓ１２０８における判定結果を無線通信装置６０に送信する（Ｓ１２０９）。この判定結果には、入室対象の扉の識別情報を含むこととしてよい。なお、携帯情報端末２０は、Ｓ１２０９で入室不可と判定した場合には、入室不可の旨をユーザに通知してもよい。
【００７５】
無線通信装置６０は、携帯情報端末２０から受信した判定結果を、入室対象の扉に設けられた電気錠４０を制御する電気錠制御装置５０に転送する（Ｓ１２１０）。電気錠制御装置５０は、転送された判定結果が入室可であれば（Ｓ１２１１：Ｙ）、電気錠４０を解錠し（Ｓ１２１２）、入室不可であれば、電気錠４０の施錠を維持する。
【００７６】
［３．第２の実施例］
次に、本実施形態に係る入退室管理システム１において行われる、第２の実施例に係る処理について説明する。第２の実施例では、入室可否の判定を電気錠制御装置５０において行うこととした点で第１の実施例と異なる。以下、第２の実施例の流れについて詳細に説明する。
【００７７】
［３−１．事前登録処理］
図１１には、第２の実施例における事前登録処理のシーケンス図を示した。図１１に示されるように、管理サーバ１０は、端末用アプリケーションと、ユーザごとの入室許可情報を保持しておく（Ｓ２１０１）。入室許可情報は、管理サーバ１０が管理者の入力に基づいて生成してもよいし、他の装置において生成された後に、管理サーバ１０にコピーすることとしてもよい。
【００７８】
初回アクセス時には、管理サーバ１０にアクセスして携帯情報端末２０の情報を登録する（Ｓ２１０２）。なお、管理サーバ１０に登録される携帯情報端末２０の情報には、例えばユーザの識別情報（ＵＩＤ）や認証パスワード等を含むこととしてよい。管理サーバ１０は携帯情報端末２０の識別情報（ＤＩＤ）を発行し、ＤＩＤと登録された情報を関連付けて記憶する（Ｓ２１０３）。
【００７９】
携帯情報端末２０は、管理サーバ１０にアクセスして認証後（Ｓ２１０４）、管理サーバ１０が保持する端末用アプリケーションをダウンロードする（Ｓ２１０５）。
【００８０】
電気錠制御装置５０は、管理サーバ１０に対して入室許可情報の取得クエリを送信すると（Ｓ２１０６）、管理サーバ１０は、送信された取得クエリに基づいて対応する入室許可情報を検索し（Ｓ２１０７）、検索された入室許可情報を電気錠制御装置５０に送信する（Ｓ２１０８）。なお、電気錠制御装置５０から管理サーバ１０に対して送信される取得クエリには、電気錠制御装置５０が制御する扉（扉ＩＤ）、施設（施設ＩＤ）等の情報が含まれることとしてよい。
【００８１】
図１２には、電気錠制御装置５０が受信した入室許可情報の一例を示した。図１２に示されるように、入室許可情報には、携帯情報端末２０の識別情報（ＤＩＤ）、ユーザの識別情報（ＵＩＤ）、施設の識別情報（施設ＩＤ）、施設内の部屋の識別情報（部屋ＩＤ）、部屋の扉の識別情報（扉ＩＤ）、入室許可条件が関連付けて記憶される。なお、図１２は施設ＩＤ＝Ｂ０００１における、扉ＩＤ＝Ｄ０００１の電気錠を制御する電気錠制御装置５０が取得する入室許可情報の例を示している。
【００８２】
電気錠制御装置５０は、管理サーバ１０から受信した入室許可情報を記憶して（Ｓ２１０９）、事前処理を終了する。
【００８３】
［３−２．解錠処理］
次に、ユーザが携帯情報端末２０を用いて施設内において電気錠４０の解錠を行う際の処理の一例について、図１３に示されたシーケンス図を参照しながら説明する。
【００８４】
図１３に示されるように、携帯情報端末２０は、端末用アプリケーションを実行して端末用アプリケーションを起動する（Ｓ２２０１）。なお、携帯情報端末２０は、ユーザからのアプリケーション起動の操作を受け付けて端末用アプリケーションを起動することとしてもよいし、無線通信装置６０から所定の無線信号を受信した場合に端末用アプリケーションを起動することとしてもよい。
【００８５】
無線通信装置６０は、管理している扉の情報を格納した扉リスト情報を無線により報知する（Ｓ２２０２）。扉リスト情報には、扉の識別情報（扉ＩＤ）、部屋の識別情報（部屋ＩＤ等）、扉や部屋の説明等の情報が含まれることとしてよい。
【００８６】
携帯情報端末２０は、無線通信装置６０から報知された扉リスト情報を受信し、受信した扉リスト情報に複数の扉が含まれている場合には（Ｓ２２０３）、扉（又は部屋）の選択画面（図１０参照）を表示する（Ｓ２２０４）。
【００８７】
携帯情報端末２０は、Ｓ２２０４の後には、選択画面に対するユーザの入力に基づいて入室対象の扉を特定し（Ｓ２２０５）、Ｓ２２０３で扉リスト情報に１つの扉のみが含まれている場合には（Ｓ２２０３：Ｎ）、当該１つの扉を入室対象の扉として特定する（Ｓ２２０５）。
【００８８】
携帯情報端末２０は、非接触通信によりＩＣカード７０にアクセスして、ＩＣカード７０に格納された識別情報（ＵＩＤ）の取得を要求し（Ｓ２２０６）、ＩＣカード７０からＵＩＤを取得する（Ｓ２２０７）。なお、携帯情報端末２０は、Ｓ２２０６において、「ＩＣカードを携帯電話機にかざして下さい。」とのメッセージを表示部２０８に表示するようにしてもよい。
【００８９】
携帯情報端末２０は、Ｓ２２０５で特定した入室対象の扉の情報と、Ｓ２２０７で取得した識別情報（ＵＩＤ）とを含む入室対象情報を無線通信装置６０に送信する（Ｓ２２０８）。無線通信装置６０は、携帯情報端末２０から受信した入室対象情報を、入室対象の扉の電気錠４０を制御する電気錠制御装置５０に転送する（Ｓ２２０９）。
【００９０】
携帯情報端末２０は、Ｓ２２０９で受信した入室対象情報に含まれる入室対象の扉、ＩＣカード７０から取得した識別情報（ＵＩＤ）、当該識別情報に関連付けられる入室許可情報に基づいて、入室の可否を判定し（Ｓ２２１０）、入室不可と判定した場合には（Ｓ２２１０：Ｎ）、入室不可の旨をユーザに通知する（Ｓ２２１１）。一方で、携帯情報端末２０が、Ｓ２２１０で入室可と判定した場合には（Ｓ２２１０：Ｙ）、電気錠４０を解錠する（Ｓ２２１２）。
【００９１】
［４．解錠後の処理］
次に、本実施形態に係る入退室管理システム１において電気錠４０を一度解錠した後の処理の一例について、図１４に示したシーケンス図を参照しながら説明する。
【００９２】
図１４に示されるように、電気錠制御装置５０は、入室を許可した後に、入室対象の扉の識別情報（扉ＩＤ）、入室を許可した携帯情報端末２０の識別情報（ＤＩＤ）及びその有効期間を関連付けて記憶し（Ｓ３１０１）、解錠をした旨を、無線通信装置６０を介して携帯情報端末２０に通知する（Ｓ３１０２）。
【００９３】
携帯情報端末２０は、解錠の通知を受けた後に、ユーザから所定の操作を受け付けない場合には（Ｓ３１０３：Ｎ）、待機し、ユーザから所定の操作を受け付けた場合には（Ｓ３１０３：Ｙ）、無線通信装置６０を介して電気錠制御装置５０に携帯情報端末２０の識別情報（ＤＩＤ）を送信する（Ｓ３１０４）。なお、所定の操作とは、所定の音声の入力、所定のタッチ操作の入力、所定の振動操作の入力、所定の認証処理等のいずれか又はこれらの組み合わせとしてよい。
【００９４】
電気錠制御装置５０は、携帯情報端末２０から識別情報（ＤＩＤ）を受信すると、受信した識別情報（ＤＩＤ）が記憶されており、且つ有効期間内にあるか否かを判定し（Ｓ３１０５）、上記判定を満たす場合には（Ｓ３１０５：Ｙ）、ＤＩＤに関連付けて記憶された扉の電気錠４０を解錠する（Ｓ３１０６）。一方で、Ｓ３１０５の判定を満たさない場合には、電気錠４０を解錠せずに携帯情報端末２０にエラーを通知する（Ｓ３１０７）。
【００９５】
上述した処理によれば、入室許可情報に基づく判定を都度行う必要がなくなるため処理負荷が軽減する。また、ユーザから所定の操作を受け付けた場合に解錠を要求するようにしたことで、単にユーザが近寄っただけで扉の電気錠４０が解錠されることが無くなるためセキュリティが向上する。
【００９６】
［５．変形例］
本発明は上述した実施形態に限定されるものではなく、後述するように種々の変形が可能である。
【００９７】
例えば、施設内の扉ごとにセキュリティレベルを設定することとしてもよく、この場合には、携帯情報端末２０は入室対象の扉に設定されたセキュリティレベルに応じて追加の認証を実行することとしてもよい。具体的には、セキュリティレベルに高と普通の二種類を設定した場合に、セキュリティレベル高が設定された扉が入室対象の扉に特定されたときには、携帯情報端末２０はパスワード認証や指紋認証等の認証処理をユーザに要求し、この認証処理を通った場合に初めて入室許可情報に基づく入室可否を判定するようにしてもよい。
【００９８】
また、上述した第１の実施例において、電気錠制御装置５０は、所定の時間範囲内において複数の携帯情報端末２０から同じ入室対象の扉についての入室可否の判定結果を受信した場合に、受信した判定結果の全てが入室可である場合にのみ入室対象の扉の電気錠４０を解錠するようにしてもよい。
【００９９】
また、上述した第２の実施例において、電気錠制御装置５０は、所定の時間範囲内において複数の携帯情報端末２０から同じ入室対象の扉についての入室判定要求を受信した場合に、入室判定要求を送信した複数の携帯情報端末２０のそれぞれが入室可能と判定され、且つ各携帯情報端末２０から取得した識別情報の組み合わせが所定の条件を満足するときにのみ、入室対象の扉の電気錠４０を解錠するようにしてもよい。
【０１００】
また、上述した第１の実施例において、電気錠制御装置５０は、所定の時間範囲内において複数の携帯情報端末２０から同じ入室対象の扉についての入室可否の判定結果を受信した場合に、判定結果を送信した携帯情報端末２０から取得した識別情報の組み合わせが所定の条件を満足するときにのみ、入室対象の扉の電気錠４０を解錠するようにしてもよい。
【０１０１】
また、上述した第２の実施例において、電気錠制御装置５０は、所定の時間範囲内において複数の携帯情報端末２０から同じ入室対象の扉についての入室判定要求を受信した場合に、受信した入室判定要求に基づく判定結果の全てが入室可である場合にのみ、入室対象の扉の電気錠４０を解錠するようにしてもよい。
【０１０２】
また、電気錠制御装置５０は、入室を許可しない携帯情報端末２０の識別情報のリストを保持し、当該リストに含まれる携帯情報端末２０については、入室許可情報に基づく入室可否の判定結果に依らず、入室を拒否するようにしてもよい。
【０１０３】
また、上記の実施形態においては、無線通信装置６０から、無線通信装置６０が管理している扉の情報を格納した扉リスト情報を携帯情報端末２０に報知することとしたが、携帯情報端末２０が、無線通信装置６０の物理アドレス（例えばＭＡＣアドレス）と当該無線通信装置６０が管理している扉の情報とを関連付けたテーブルを管理サーバ１０から予めダウンロードしておくこととしてもよい。この場合には、無線通信装置６０の物理アドレスから対応する扉リスト情報を特定することとしてよい。
【０１０４】
また、上記の実施形態において、携帯情報端末２０が入室を許可された扉について設定されたセキュリティレベルを下げることとしてもよい。
【０１０５】
また、上記の実施形態において、携帯情報端末２０から受信されるデータに基づいてユーザの入退室を判定することとしてもよい。また、複数の携帯情報端末２０間で入室判定結果を送受信し、その判定結果を表示することとしてもよい。こうした場合には、入室が許可されていないユーザを検出することができる。
【０１０６】
また、上記の実施形態においては、無線通信装置６０と電気錠制御装置５０とを分けた例について説明したが、電気錠制御装置５０が無線通信機能を有するようにしても構わない。
【０１０７】
また、上記の実施形態においては、ユーザが部屋に入室する際の扉の施解錠処理について説明したが、ユーザが部屋から退室する際の扉の施解錠処理についても、入室時と同様の処理を適用することができる。また、本発明は、自動ドアや磁石等を用いたドア制御システム等の電気錠以外を用いた扉施解錠制御を行うシステムにも適用することができるのはいうまでもない。また、上記の実施形態では、ＩＣカードに格納された識別情報を取得することとしたが、識別情報が格納されているＩＣカード以外の記憶媒体から識別情報を取得することとしてもよい。
【符号の説明】
【０１０８】
１  入退室管理システム、２  ネットワーク、３  施設、４  扉、１０  管理サーバ、２０  携帯情報端末、２１  基地局装置、３０  電気錠システム、４０  電気錠、５０  電気錠制御装置、６０  無線通信装置、７０  ＩＣカード、７２  無線通信回路、７４  ＣＰＵ、７６  ＲＯＭ、７８  ＲＡＭ、８０  ＥＥＰＲＯＭ、１００  制御部、１０２  記憶部、１０４  通信部、２００  制御部、２０２  記憶部、２０４  携帯回線通信部、２０６  無線通信部、２０８  表示部、２１０  入力部、２１２  ＩＣチップ、２５０  無線通信回路、２５２  ＣＰＵ、２５４  ＲＯＭ、２５６  ＲＡＭ、２５８  ＥＥＰＲＯＭ、５００  制御部、５０２  記憶部、５０４  無線通信装置用通信部、５０６  電気錠用通信部、５０８  ネットワーク通信部、６００制御部、６０２  記憶部、６０４  無線通信部、６０６  通信部。
【図１】
0005930773.tif 000002
【図２】
0005930773.tif 000003
【図３】
0005930773.tif 000004
【図４】
0005930773.tif 000005
【図５】
0005930773.tif 000006
【図６】
0005930773.tif 000007
【図７】
0005930773.tif 000008
【図８】
0005930773.tif 000009
【図９】
0005930773.tif 000010
【図１０】
0005930773.tif 000011
【図１１】
0005930773.tif 000012
【図１２】
0005930773.tif 000013
【図１３】
0005930773.tif 000014
【図１４】
0005930773.tif 000015